(57)【要約】  本発明は、受信コイルを内蔵しているバッテリー装置と磁気的に結合され、無接点でバッテリーを充電する装置であって、上記受信コイルに充電電力を誘起するために多数の送信コイルを配列している送信コイルアレイ；及び上記受信コイルと磁気的にカップリングされている送信コイルを検出し、このように検出された送信コイルのみを選別的に駆動するための手段を含む。【選択図】  図１【特許請求の範囲】
【請求項１】
受信コイルを内蔵しているバッテリー装置と磁気的に結合され、無接点でバッテリーを充電する装置であって、該装置は、
上記受信コイルに充電電力を誘起するために多数の送信コイルを配列している送信コイルアレイと；
上記受信コイルと磁気的にカップリングされている送信コイルを検出し、該検出された送信コイルのみを選別的に駆動するための駆動手段と
を含むことを特徴とする無接点充電装置。
【請求項２】
上記駆動手段は、上記バッテリー装置からフィードバック応答のある送信コイルのみを選別することを特徴とする請求項１に記載の無接点充電装置。
【請求項３】
上記駆動手段は、上記送信コイルアレイの送信コイルを順次駆動しながら定められた時間内にバッテリー装置からフィードバック応答が存在するか否かを判別し、定められた時間内にバッテリー装置からフィードバック応答が存在する送信コイルのみを選別することを特徴とする請求項２に記載の無接点充電装置。
【請求項４】
上記駆動手段は、上記送信コイルアレイの送信コイルを同時に駆動しながら定められた時間内にバッテリー装置からフィードバック応答が存在する送信コイルのみを選別することを特徴とする請求項２に記載の無接点充電装置。
【請求項５】
誘導結合のための２次コイル、データを無線送信するための無線送信モジュール、バッテリーの充電状態を調節する充電制御回路及び再充電可能なバッテリーを含むバッテリー装置と磁気的に結合される装置であって、
上記２次コイルに充電電力を誘起するために多数の１次コイルを配列している１次コイルアレイと；
外部の交流電圧を直流電圧に変換する整流回路と；
上記直流電圧に基づいて上記１次コイルを駆動するための駆動電力を生成するコイル駆動回路と；
上記無線送信モジュールからフィードバック信号を受けるための無線受信モジュールと；
上記コイル駆動回路を制御して上記１次コイルを予備駆動し、該１次コイルの予備駆動に応じて上記バッテリー装置からフィードバック信号が応答される１次コイルのみを選別し、該選別された１次コイルのみを駆動することで上記バッテリーを充電する駆動制御回路と
を含むことを特徴とする充電電力供給装置。
【請求項６】
上記駆動制御回路は、上記１次コイルを順次予備駆動しながら定められた時間内にバッテリー装置からフィードバック応答が存在するか否かを判別し、定められた時間内にバッテリー装置からフィードバック応答が存在する１次コイルのみを選別することを特徴とする請求項５に記載の充電電力供給装置。
【請求項７】
上記駆動制御回路は、上記１次コイルを同時に予備駆動しながら定められた時間内にバッテリー装置からフィードバック応答が存在する１次コイルのみを選別することを特徴とする請求項５に記載の充電電力供給装置。
【請求項８】
上記１次コイルアレイは、多数の１次コイルをマトリックス状に配列したことを特徴とする請求項６または請求項７に記載の充電電力供給装置。
【請求項９】
上記１次コイルアレイは、多数の１次コイルが互いにジグザグ（Ｚｉｇ‐Ｚａｇ）状にずれるように配列されることを特徴とする請求項６または請求項７に記載の充電電力供給装置。
【請求項１０】
多数の１次コイルが配列されている１次コイルアレイ及び無線受信モジュールを含む１次側充電装置と、上記１次コイルと磁気的に結合される２次コイル、無線送信モジュール及びバッテリーを含む２次側バッテリー装置からなる無接点充電システムにおけるバッテリー充電方法であって、
（Ａ）上記１次コイルのうち何れか一つを選択し、該選択された１次コイルを相対的に短い時間予備駆動する段階と；
（Ｂ）上記バッテリー装置からのフィードバック応答を予め定められた時間待機する段階と；
（Ｃ）上記フィードバック応答が存在する場合、該当する１次コイルの識別情報をメモリに臨時記憶する段階と；
（Ｄ）上記１次コイルアレイから他の１次コイルを選択し、上記（Ａ）ないし（Ｃ）段階を繰り返して行う段階と；
（Ｅ）上記（Ｄ）段階を上記１次コイルアレイを構成する全ての１次コイルに対して順次行う段階と；
（Ｆ）上記メモリから１次コイルの識別情報を判読し、該当する１次コイルに対してのみ選別的に充電電力を供給する段階とを含むことを特徴とする充電方法。
【請求項１１】
多数の１次コイルが配列されている１次コイルアレイ及び無線受信モジュールを含む１次側充電装置と、上記１次コイルと磁気的に結合される２次コイル、無線送信モジュール及びバッテリーを含む２次側バッテリー装置からなる無接点充電システムにおけるバッテリー充電方法であって、
（Ａ）上記１次コイルを相対的に短い時間順次予備駆動する段階と；
（Ｂ）上記バッテリー装置からのフィードバック応答を予め定められた時間待機する段階と；
（Ｃ）上記フィードバック応答が存在する１次コイルを少なくとも一つ以上選別する段階と；
（Ｄ）上記選別された１次コイルに充電電力を印加することで上記バッテリー装置を充電する段階とを含むことを特徴とする充電方法。
【請求項１２】
多数の１次コイルが配列されている１次コイルアレイ及び無線受信モジュールを含む１次側充電装置と、上記１次コイルと磁気的に結合される２次コイル、無線送信モジュール及びバッテリーを含む２次側バッテリー装置からなる無接点充電システムにおけるバッテリー充電方法であって、
（Ａ）上記１次コイルアレイを構成する全ての１次コイルを相対的に短い時間同時に予備駆動する段階と；
（Ｂ）上記バッテリー装置からのフィードバック応答を予め定められた時間待機する段階と；
（Ｃ）上記フィードバック応答が存在する１次コイルを少なくとも一つ以上選別する段階と；
（Ｄ）上記選別された１次コイルに充電電力を印加することで上記バッテリー装置を充電する段階とを含むことを特徴とする充電方法。
【請求項１３】
上記フィードバック応答は、上記１次コイルと２次コイルの磁気的なカップリングの程度に応じて決められることを特徴とする請求項１０ないし請求項１２のうち何れか一項に記載の充電方法。
【請求項１４】
上記１次コイルを予備駆動する電力は、少なくともバッテリー装置の内部回路を駆動するのに十分な電力であることを特徴とする請求項１３に記載の充電方法。
【請求項１５】
多数の１次コイルが配列されている１次コイルアレイ及び無線受信モジュールを含む第１充電ユニットと、上記１次コイルと磁気的に結合される２次コイル、無線送信モジュールを含む第２充電ユニットと、該第２充電ユニットから充電電圧を提供されるバッテリーからなる無接点充電システムにおいて、
上記第１充電ユニットは、
上記２次コイルに充電電力を誘起するために多数の１次コイルを配列している１次コイルアレイと；
上記１次コイルを待機モードで駆動した後、上記第２充電ユニットからフィードバック応答が存在する１次コイルを選択し、該選択された１次コイルのみを充電モードで駆動するための手段
とを含み、
上記第２充電ユニットは、上記２次コイルに内部回路を駆動するのに十分な電圧が誘起されれば、充電開始を知らせるフィードバック信号を生成して上記第１充電ユニットに伝送する手段を含み；
これにより、上記１次コイルアレイを構成する１次コイルの中で上記２次コイルと位置整合を形成する１次コイルのみを選別的に駆動することを特徴とする無接点充電システム。
【請求項１６】
上記第１充電ユニットの駆動手段は、上記１次コイルを順次駆動してフィードバック応答を個別的に受信し、全ての１次コイルに対するフィードバック応答の受信が完了すれば、フィードバック応答が存在する１次コイルのみを選択することを特徴とする請求項１５に記載の無接点充電システム。
【請求項１７】
上記第１充電ユニットの駆動手段は、上記１次コイルアレイを構成する全ての１次コイルを同時に駆動してフィードバック応答を受信し、フィードバック応答が存在する１次コイルのみを選択することを特徴とする請求項１５に記載の無接点充電システム。
【発明の詳細な説明】
【技術分野】
【０００１】
本発明は、携帯型電子機器の充電装置に関するものであって、特に誘導結合を利用した無接点充電システムに関する。
【背景技術】
【０００２】
移動通信端末、ＰＤＡなどのような携帯型電子機器には再充電可能な二次電池（バッテリー）が装着される。二次電池（バッテリー）を充電するためには家庭用の商用電源を利用して携帯型電子機器のバッテリーに電気エネルギーを提供する別途の充電装置が必要である。通常、充電装置とバッテリーには外部にそれぞれ別途の接触端子が構成されており、二つの接触端子を互いに接続させることで充電装置とバッテリーとを電気的に連結する。
【０００３】
しかし、このように接触端子が外部に突出されれば、美観上良くなく且つ接触端子が外部の異物に汚染され接触状態が不良になりやすい問題点がある。また、使用者の不注意でバッテリーに短絡が発生するか湿気の多い雰囲気中に露出すれば、充電エネルギーが消失されやすくなる。
【０００４】
このような接触式充電方式の問題点を解決するために、充電装置とバッテリーとを非接触方式で充電する無線充電システムが提案された。
【０００５】
韓国公開特許第２００２‐５７４６８号、韓国公開特許第２００２‐５７４６９号、韓国登録特許第３６３，４３９号、韓国登録特許第４２８，７１３号、韓国公開特許第２００２‐３５２４２号、韓国登録実用新案第２１７，３０３号、英国公開特許第２，３１４，４７０号、米国公開特許第２００３／０，２１０，１０６号、日本特開２００２‐２０９３４４、日本特開平９‐２３３７０６、日本特開２００１‐２５８１８２、米国特許第６，３１６，９０９号は、充電母体の１次コイルとバッテリーパックの２次コイルとの間の誘導結合を利用して接触端子なくバッテリーを充電させる非接触式充電システムを開示する。
【０００６】
しかし、上述した従来の無接点充電システムの場合、１次コイルと２次コイルとの間の位置関係（ｐｏｓｉｔｉｏｎａｌ  ｒｅｌａｔｉｏｎｓｈｉｐ）に従って充電効率が左右される短所を持つ。すなわち、１次コイルと２次コイルとの間に位置ずれ（ｐｏｓｉｔｉｏｎａｌ  ｏｆｆｓｅｔ）が存在すれば、２次コイルに誘導起電力が充分に誘起（誘導、励起）されないので有接点充電システムに比べて充電効率が非常に低下する。従って、使用者は２次コイルが内蔵された携帯型電子機器やバッテリーパックを充電母体上の最適の位置に置くために注意しなければならない。
【０００７】
このような問題を解決するために、２次コイルの位置や方向に関係なく高い充電効率が保障できるように１次コイルの配置パターンを変化させる努力が行われた。
【０００８】
韓国登録特許第５２４，２５４号（以下、２５４’号特許に略称する）は、無線充電用パッド（１次側充電母体）上にコバルト系列またはフェライト材質の小型コアを多数個付けた平板コア上に一定のパターンを持つコイルを形成したコアブロックを配置した無接点充電システムを開示している。
【０００９】
上記２５４’号特許のように１次コイルと２次コイルとの間の位置ずれを補償するために、充電母体の同一平面上に多数個のコイルを交互的にまたは並列で配置することは単一のコイルを利用する場合に比べてエネルギーの消費量が多すぎるという問題点を持つ。
【発明の開示】
【発明が解決しようとする課題】
【００１０】
本発明は、１次コイルと２次コイルとの間の位置に関係なく、２次側に誘導起電力を効率良く伝達できる無接点充電装置を提供することを目的とする。
【００１１】
また、本発明は、多数個の携帯型電子機器を同時に充電できる無接点充電装置を提供することを他の目的とする。
【００１２】
また、本発明は、高い充電効率を持ちながらもエネルギーの無駄使いを最小化させることができる無接点充電装置を提供することをさらに他の目的とする。
【課題を解決するための手段】
【００１３】
上記のような目的を果たすために、本発明の第１態様による受信コイルを内蔵しているバッテリー装置と磁気的に結合され、無接点でバッテリーを充電する装置は、上記受信コイルに充電電力を誘起するために多数の送信コイルを配列している送信コイルアレイと；上記受信コイルと磁気的にカップリングされている送信コイルを検出し、該検出された送信コイルのみを選別的に駆動するための手段とを含む。
【００１４】
このとき、上記駆動手段は、上記バッテリー装置からフィードバック応答のある送信コイルのみを選別することを特徴とする。特に、上記駆動手段は、上記送信コイルアレイの送信コイルを順次駆動しながら定められた時間内にバッテリー装置からフィードバック応答が存在するか否かを判別し、定められた時間内にバッテリー装置からフィードバック応答が存在する送信コイルのみを選別するか、上記送信コイルアレイの送信コイルを同時に駆動しながら、定められた時間内にバッテリー装置からフィードバック応答が存在する送信コイルのみを選別する。
【００１５】
また、本発明の第２態様は、誘導結合のための２次コイル、データを無線送信するための無線送信モジュール、バッテリーの充電状態を調節する充電制御回路及び再充電可能なバッテリーを含むバッテリー装置と磁気的に結合される装置であって、上記２次コイルに充電電力を誘起するために多数の１次コイルを配列している１次コイルアレイと；外部の交流電圧を直流電圧に変換する整流回路と；上記直流電圧に基づいて上記１次コイルを駆動するための駆動電力を生成するコイル駆動回路と；上記無線送信モジュールからフィードバック信号を受けるための無線受信モジュールと；上記コイル駆動回路を制御して上記１次コイルを予備駆動し、該１次コイルの予備駆動に応じて上記バッテリー装置からフィードバック信号が応答される１次コイルのみを選別し、該選別された１次コイルのみを駆動することで上記バッテリーを充電する駆動制御回路とを含む。
【００１６】
このとき、上記駆動制御回路は、上記１次コイルを順次予備駆動しながら定められた時間内にバッテリー装置からフィードバック応答が存在するか否かを判別し、定められた時間内にバッテリー装置からフィードバック応答が存在する１次コイルのみを選別するか、上記１次コイルを同時に予備駆動しながら定められた時間内にバッテリー装置からフィードバック応答が存在する１次コイルのみを選別する。
【００１７】
また、上記１次コイルアレイは多数の１次コイルをマトリックス状に配列するか、ジグザグ状にずれるように配列することができる。
【００１８】
本発明の第３態様は、多数の１次コイルを配列している１次コイルアレイ及び無線受信モジュールを含む１次側充電装置と、上記１次コイルと磁気的に結合される２次コイルと、無線送信モジュール及びバッテリーを含む２次側バッテリー装置からなる無接点充電システムにおけるバッテリー充電方法に関するものであって、（Ａ）上記１次コイルのうち何れか一つを選択し、該選択された１次コイルを相対的に短い時間予備駆動する段階と；（Ｂ）上記バッテリー装置からのフィードバック応答を予め定められた時間待機する段階と；（Ｃ）上記フィードバック応答が存在する場合、該当する１次コイルの識別情報をメモリに臨時記憶する段階と；（Ｄ）上記１次コイルアレイから他の１次コイルを選択し、上記（Ａ）ないし（Ｃ）段階を繰り返し行う段階と；（Ｅ）上記（Ｄ）段階を上記１次コイルアレイを構成する全ての１次コイルに対して順次行う段階と；（Ｆ）上記メモリから１次コイルの識別情報を判読し、該当する１次コイルに対してのみ選別的に充電電力を供給する段階とを含む。
【００１９】
また、本発明の第４態様は、多数の１次コイルを配列している１次コイルアレイ及び無線受信モジュールを含む１次側充電装置と、上記１次コイルと磁気的に結合される２次コイル、無線送信モジュール及びバッテリーを含む２次側バッテリー装置からなる無接点充電システムにおけるバッテリー充電方法であって、（Ａ）上記１次コイルを相対的に短い時間順次予備駆動する段階と；（Ｂ）上記バッテリー装置からのフィードバック応答を予め定められた時間待機する段階と；（Ｃ）上記フィードバック応答が存在する１次コイルを少なくとも一つ以上選別する段階と；（Ｄ）上記選別された１次コイルに充電電力を印加することで上記バッテリー装置を充電する段階とを含む。
【００２０】
本発明の第５態様は、多数の１次コイルを配列している１次コイルアレイ及び無線受信モジュールを含む１次側充電装置と、上記１次コイルと磁気的に結合される２次コイル、無線送信モジュール及びバッテリーを含む２次側バッテリー装置からなる無接点充電システムにおけるバッテリー充電方法であって、（Ａ）上記１次コイルアレイを構成する全ての１次コイルを相対的に短い時間同時に予備駆動する段階と；（Ｂ）上記バッテリー装置からのフィードバック応答を予め定められた時間待機する段階と；（Ｃ）上記フィードバック応答が存在する１次コイルを少なくとも一つ以上選別する段階と；（Ｄ）上記選別された１次コイルに充電電力を印加することで上記バッテリー装置を充電する段階とを含む。
【００２１】
また、本発明の第６態様は、多数の１次コイルが配列されている１次コイルアレイ及び無線受信モジュールを含む第１充電ユニットと、上記１次コイルと磁気的に結合される２次コイル、無線送信モジュールを含む第２充電ユニットと、該第２充電ユニットから充電電圧を提供されるバッテリーからなる無接点充電システムに関するものであって、上記第１充電ユニットは、上記２次コイルに充電電力を誘起するために多数の１次コイルを配列している１次コイルアレイと；上記１次コイルを待機モードで駆動した後、上記第２充電ユニットからフィードバック応答が存在する１次コイルを選択し、該選択された１次コイルのみを充電モードで駆動するための手段とを含み、上記第２充電ユニットは、上記２次コイルに内部回路を駆動するのに十分な電圧が誘起されれば、充電開始を知らせるフィードバック信号を生成して上記第１充電ユニットに伝送する手段を含む。
【発明を実施するための最良の形態】
【００２２】
以下、添付した図面を参照しながら本発明の望ましい実施例を詳しく説明する。これに先立って、本明細書及び請求範囲に使われた用語や単語は通常的や辞書的な意味に限定して解釈されてはいけず、発明者は自らの発明を最善の方法で説明するために用語の概念を適切に定義することができるという原則に則して、本発明の技術的思想に符合する意味と概念とに解釈されなければならない。従って、本明細書に記載された実施例は本発明の最も望ましい一実施例に過ぎず、本発明の技術的思想の全てを代弁するものではないため、本出願時点においてこれらに代替できる多様な均等物と変形例があり得ることを理解しなければならない。
【００２３】
図１は、電磁誘導現象を利用した無接点充電原理を説明するための通常の無接点充電システムの概略的な斜視図である。
【００２４】
図面に示すように、無接点充電システムは、外部電源を利用してバッテリーに供給する充電電力を生成させる充電装置１０と、この充電装置１０から無接点で充電電力を供給され、これを利用して内部のバッテリー（図示せず）を充電させるバッテリー装置２０とからなる。
【００２５】
上記バッテリー装置２０は、バッテリーが内蔵されたバッテリーパックやバッテリーを内蔵している携帯型電子機器を示す。望ましい携帯型電子機器としては、セルラーフォン、ＰＤＡ、ＭＰ３プレーヤーなどが挙げられる。このバッテリー装置２０に内蔵されるバッテリーは再充電可能な電池セルであってリチウムイオン電池やリチウムポリマー電池などを含む。
【００２６】
上記充電装置１０は、外部電源から電気エネルギーを供給され上記バッテリー装置２０に供給する充電電力を生成する装置であって、バッテリー装置２０が容易に安着されるようにパッド形態で構成されることが望ましい。また、充電装置１０に供給される外部電源としては、家庭用の商用交流電源（６０Ｈｚ，２２０Ｖ／１００Ｖ）が最も望ましいが、他のＤＣ電源も採択可能である。
【００２７】
上記充電装置１０と上記バッテリー装置２０は互いに対応する１次コイル１１及び２次コイル２１とアンテナ１２，２２を備えている。
【００２８】
上記１・２次コイル１１，２１は、誘導結合により磁気的に相互カップリングされる。従って、上記２次コイルが上記１次コイル上に並列される（ｊｕｘｔａｐｏｓｅｄ）ことによって１次コイルにより生成される磁場が２次コイル内に誘導電流を誘起することになる。また、上記１・２次コイル１１，２１はそれぞれアンテナ１２，２２によって取り囲まれている。
【００２９】
また、上記充電装置１０は１次コイル１１を駆動して磁場を生成するための充電電力供給回路１５を内蔵しており、上記バッテリー装置２０は２次コイル２１によって誘起される誘導起電力を利用してバッテリーを充電させるための充電回路２５を内蔵している。
【００３０】
図２（ａ）及び図２（ｂ）は、本発明による充電装置の概略的な使用状態図を示している。
【００３１】
図２（ａ）を参照すれば、本発明の充電装置１００は、上記図１の充電装置１０と異なり充電パッド内に単一のコイル１１が内蔵されるのではなく、多数のコイル１１０が内蔵されてコイルアレイを成していることが特徴である。また、このコイルアレイ１１０は、アンテナコイル１２０によって取り囲まれている。上記アンテナコイル１２０は、コイルアレイ１１０を取り囲むように一つが設けられ得、１次コイルそれぞれまたは例えば１次コイル４〜６個を取り囲むように複数個設けられ得る。
【００３２】
このように、多数のコイル１００がコイルアレイ１１０を成す場合、単一のコイルからなる場合に比べて１次コイルと２次コイルとの間の位置整合（ｐｏｓｉｔｉｏｎａｌ  ｃｏｎｆｏｒｍａｔｉｏｎ）を達成することが容易になる。図２（ａ）のように、バッテリー装置２００を充電装置１００上に傾くように置いても、１次コイルと２次コイルとの間に位置ずれ（ｐｏｓｉｔｉｏｎａｌ  ｏｆｆｓｅｔ）が発生しない。すなわち、バッテリー装置２００を充電装置１００上の所定位置のどこに置いても、バッテリー装置１００に配置された２次コイルと整合を形成する１次コイルが少なくとも一つ以上存在することになる。
【００３３】
したがって、本発明の充電装置を使えば、使用者は意識的に１次コイルと２次コイルとの位置関係に気をつける必要がないので使用上の便宜を図ることができる。また、本発明のコイルアレイ１１０は図２（ａ）のように多数のコイルをマトリックス状に配置することだけでなく、図２（ｂ）のようにジグザグ状にずれるように配置することも可能である。
【００３４】
図３は、本発明による充電装置の他の使用状態図を示している。
【００３５】
図３を参照すれば、コイルアレイ１１０が備えられた充電装置１００上に一つ以上のバッテリー装置２００ａ，２００ｂ，２００ｃが置かれている。従って、本発明の充電装置１００は同時に数個のバッテリー装置２００ａ，２００ｂ，２００ｃを充電させることができる。
【００３６】
しかし、図２及び図３に示した充電装置１００は、１次コイルと２次コイルとの間の位置関係に関係なく安定した充電効率を保障し、多数のバッテリー装置を同時に充電できるという長所にもかかわらず、エネルギーの消費量が多すぎるという短所がある。
【００３７】
したがって、本発明者らはコイルアレイを構成する多数の１次コイルの中でバッテリー装置の２次コイルと少なくとも部分的にカップリングされる１次コイルのみを駆動することで、エネルギーの消費量を著しく低減できることがわかった。
【００３８】
以下、図４及び図５を参照しながら本発明による充電装置の望ましい実施例の構成を詳しく説明する。
【００３９】
まず、図４は、本発明の望ましい実施例による無接点充電システムの機能ブロック図である
【００４０】
図４を参照すれば、本実施例による無接点充電システムは、充電装置１００とバッテリー装置２００とから構成される。
【００４１】
上記充電装置１００は、送信コイルアレイ１１０、整流器１５２、電力分配回路１５３、コイル駆動回路１５４、制御回路１５５、充電モード調節回路１５６、無線受信モジュール１５７，１５８を含む。
【００４２】
上記送信コイルアレイ１１０は、少なくとも一つ以上の送信コイル（ＴＣ１  ，ＴＣ２  …ＴＣｎ  ）からなり、この送信コイル（ＴＣ１  ，ＴＣ２  …ＴＣｎ  ）は図２または図３のようにマトリックス状に配列されることが望ましい。
【００４３】
上記整流器１５２は、商用交流電源（６０Ｈｚ，２２０Ｖ）１５１からの交流電圧を直流に整流した後、電力分配回路１５３に伝達する。
【００４４】
上記電力分配回路１５３は、整流器１５２により整流された直流電圧を選択されたコイル駆動回路１５４に伝達する。すなわち、電力分配回路１５３は制御回路１５５から選択指令を伝達され、この選択指令が指示するコイル駆動回路１５４に上記整流された直流電圧を伝達する。例えば、上記電力分配回路１５３は上記整流器１５２と上記コイル駆動回路１５４との間に位置する一種のスイッチング回路であって、制御回路１５５により選択されたコイル駆動回路１５４と整流器１５２との間を電気的に連結する。
【００４５】
上記充電モード調節回路１５６は、制御回路１５５により選択されたコイル駆動回路１５４を制御することで対応する送電コイル１１０の駆動モードを調節する。例えば、上記駆動モードは、待機モード、充電モード、緩衝モードからなることができる。
【００４６】
図５を参照すれば、上記待機モードは、１次コイルと２次コイルとのカップリング状態を確認するためのモードであって、例えば、５０ｍｓｅｃ（ｗ１  ）間駆動され、１ｓｅｃ（ｔ１  ）間停止されるモードである。上記充電モードは、２次コイルと位置整合された１次コイルに対して上記待機モードより長い時間（ｗ２  ）１次コイルを駆動することでバッテリー装置を充電させるモードである。また、上記緩衝モードは、バッテリー装置が満充電されたとき、消費電力を節減するために１次コイルの駆動時間（ｗ３  ）を減らすモードである。
【００４７】
本発明においては、上記送電コイルの駆動モードが図５のように、待機モード、充電モード及び緩衝モードを持つ例として説明しているが、本発明は必ずこのような例に限定されるのではない。
【００４８】
上記コイル駆動回路１５４は、多数の送信コイルそれぞれを駆動するために整流器からの直流電圧を一定のレベルと周波数（例えば、８０ｋＨｚ）を持つ交流電圧に発振する。特に、本実施例のコイル駆動回路１５４は、充電モード調節回路１５６の制御により図５のように各モード（例えば、待機モード、充電モード、緩衝モード）別に予め定められた交流パルス電圧を生成する。
【００４９】
上記無線受信モジュール１５７，１５８は、アンテナコイル１５８と受信回路１５７とからなり、バッテリー装置２００からフィードバックされる充電開始信号（ＦＲ１  ，ＦＲ２  など）と充電状態信号（ＣＳ１  ，ＣＳ２  など）を無線受信した後、これを復調して制御回路１５５に伝達する。
【００５０】
上記制御回路１５５は、上記受信回路１５７からバッテリー装置２００のフィードバック信号を伝達され、このフィードバック信号を分析して上記電力分配回路１５３と充電モード調節回路１５６を制御する。特に、上記制御回路１５５はパルス発生器（図示せず）及びタイマー（図示せず）と連結されることが望ましい。すなわち、タイマーはパルス発生器から伝達されるパルスをカウントし、このカウントされた値を制御回路１５５に伝達する。これによって、上記制御回路１５５は予め定められた周期（Ｔ＝ｗ１  ＋ｔ１  ）に応じて上記電力分配回路１５３を制御することで上記コイル駆動回路１５４を順次発振させる。
【００５１】
すなわち、上記制御回路１５５は予め定められた時間（ｗ１  ，ｔ１  ）に応じて上記コイル駆動回路１５４を順次駆動し、バッテリー装置２００からフィードバック信号を受信して充電モードに切り換える送信コイル（ＴＣ１  ，ＴＣ２  …ＴＣｎ  ）を選択する。
【００５２】
上記バッテリー装置２００は、２次コイル２１０、整流器２５１、定電圧／定電流回路２５２、充電状態検出回路２５３、制御回路２５５、無線送信モジュール２２０，２５６を含む。
【００５３】
上記２次コイル２１０は、上記１次コイル（または送信コイル）１１０に磁気的に結合され誘導起電力を発生させる受信コイルである。１次コイル１１０に印加される電力信号が図５のようなパルス列信号（幅がｗ１  であるパルス）であるので、２次コイル２１０に誘起される誘導起電力も交流電圧パルス列になる。また、１次コイル１１０の駆動モードに従って２次コイル２１０に誘起される交流電圧パルスも図５のように待機モード、充電モード及び緩衝モードのうち何れか一つの形態になる。
【００５４】
上記整流器２５１は、上記２次コイル２１０の出力端に連結され２次コイル２１０により誘起された交流電圧パルスを一定のレベルの直流に平坦化する。
【００５５】
上記定電圧／定電流回路２５２は、所定レベルの直流電圧を利用してバッテリーに充電する定電圧と定電流を生成する。すなわち、バッテリーの初期充電時点では定電流モードを維持し、バッテリーの充電電圧が飽和状態になれば定電圧モードに切り換える。
【００５６】
上記充電状態検出回路２５３は、２次コイルの出力端に誘起される電気的状態、整流器出力端の電気的状態または定電圧／定電流回路の両端電圧のような充電状態を検出する装置である。このように検出された充電状態検出信号は上記制御回路２５５に入力される。
【００５７】
上記制御回路２５５は、一種のマイクロプロセッサであって上記充電状態検出信号のようなモニタリング信号を入力し、このモニタリング信号に基づいて上記定電圧／定電流回路２５２と無線送信モジュール２２０，２５６を制御する。
【００５８】
すなわち、上記制御回路２５５は、上記充電状態検出回路２５３から入力される充電状態検出信号に基づいて１次コイルと２次コイルとのカップリング可否、１次コイルと２次コイルとの位置関係、バッテリーの充電状態（定電流モード、定電圧モード、充電程度など）及び定電圧／定電流回路両端の電圧状態などを把握する。特に、上記制御回路２５５は２次コイルに誘起される交流電圧パルスの下降時点を把握し、上記充電装置１５０に伝送するフィードバック応答信号の送信時点を上記パルスの下降時点に同期化する。
【００５９】
また、上記制御回路２５５は、２次コイル２１０の出力端から制御回路２５５を駆動することができる最小レベルの電流が存在する場合、１次側の充電装置１００に充電開始信号（ＦＲ１  ，ＦＲ２  など）（図５参照）をフィードバックする。これによって、充電装置１００の制御回路１５５は現在駆動されている送信コイル１１０が２次コイル２１０と少なくとも一部分カップリングされたと判断し、この情報を内部メモリ（図示せず）に臨時記憶する。
【００６０】
また、上記２次側の制御回路２５５は、バッテリー２６２の充電電流と充電電圧を常時モニタリングし、このモニタリング値を内部メモリ（図示せず）に臨時記憶する。図示しない上記メモリはモニタリングされた充電電流と充電電圧のようなバッテリー充電状態情報だけでなく、バッテリーの仕様情報（製品コード、定格など）も共に記憶する。
【００６１】
また、上記制御回路２５５は、バッテリーの充電状態に応じて定電圧モードと定電流モードを適切に選択して切り換える。
【００６２】
上記無線送信モジュール２５６，２２０は、１次側の充電装置１００に伝送するフィードバック応答信号（充電開始信号または充電状態信号）を送信するアンテナ２２０と、充電状態情報のようなベースバンド信号を変調してフィードバック応答信号を生成する送信回路２５６を含む。
【００６３】
上記定電圧／定電流回路２５２とバッテリー２６２との間にはバッテリーに過電圧や過電流が印加されることを防止するための保護回路（ＰＣＭ）２６１が配置される。この保護回路２６１とバッテリー２６２とは一つの単一バッテリーユニット２６０を構成する。
【００６４】
上述した図４の無接点充電システムの機能的構成は本発明の原理を説明するための一つの実施例に過ぎず、本発明の技術的原理を損傷しない範囲内で多様な変形が可能である。
【００６５】
次に、図５及び図６を参照しながら本発明の望ましい実施例による無接点充電システムの動作を説明する。
【００６６】
まず、説明の便宜のために本実施例の充電装置１００が図２（ａ）のようなコイルアレイ構造（１５個の１次コイルがアンテナコイルの内部にマトリックス構造で配列された形態）を持ち、この充電装置１００の上にバッテリー装置（例えば、セルラーフォン）が図２（ａ）のように置かれたと仮定する。すなわち、図２（ａ）のように、バッテリー装置２００が充電装置１００の送信コイルの中で＃７，＃８，＃９，＃１２，＃１３，＃１４にかけて置かれていると仮定する。
【００６７】
商用交流電源１５１のような外部電源が充電装置１００に印加されれば、充電装置の制御回路１５５が覚めて（ｗａｋｅ−ｕｐ）電力分配回路１５３とコイル駆動回路１５４とを制御することで、送信コイル１１０らを順次ドライブする（Ｓ１０）。このとき、タイマーは図示しないパルス発生器から入力される所定のパルスをカウントし、このカウント情報を制御回路１５５に入力する（Ｓ１５）。
【００６８】
まず、制御回路１５５は、電力分配回路１５３を制御して整流器１５２によって整流された直流電圧を予め定められた時間（ｗ１  ）第１コイル駆動回路１５４に印加する。すなわち、図５のように第１コイル駆動回路１５４を発振させて送信コイルＴＣ１  をｗ１  時間（例えば、５０ｍｓｅｃ）駆動し、ｔ１  時間（例えば、１ｓｅｃ）待機させる（Ｓ２０）。このとき、制御回路１５５は上記ｔ１  時間内に２次側のバッテリー装置２００からフィードバック応答信号（充電開始信号）が存在するか否かを判断する（Ｓ２５）。
【００６９】
このとき、２次側のバッテリー装置２００から何れの応答も受信されなければ、上記制御回路１５５は送信コイルＴＣ１  にカップリングされる２次コイルが存在しないと判断し、第２コイル駆動回路１５４が発振するように電力分配回路１５３を制御する。すなわち、制御回路１５５は送信コイル（またはコイル駆動回路）の番号ｎが１５に到達したか否かを判断し（Ｓ３５）、到達しなかった場合ｎ値を１増加させる（Ｓ４０）。これによって、制御回路１５５から出力される選択信号は第２コイル駆動回路１５４を指示し、上記Ｓ２０と同じく第２コイル駆動回路１５４が発振する。
【００７０】
一方、上記Ｓ２５において２次側のバッテリー装置２００からフィードバック応答信号が存在する場合には、送信コイルＴＣ１  と少なくとも部分的にカップリングされる２次コイル２１０が存在すると判断して該当する送信コイルの番号（＃１）を内部メモリに臨時記憶し、上記Ｓ３５に進む（Ｓ３０）。
【００７１】
本実施例の場合、図２のように送信コイルＴＣ１  ないし送信コイルＴＣ６  が２次コイルと磁気的にカップリングされていない。従って、図５のように送信コイルＴＣ１  ないし送信コイルＴＣ６  が駆動される時間にはアンテナコイル１５８に何れのフィードバック応答信号も受信されない。その反面、送信コイルＴＣ７  ，ＴＣ８  ，ＴＣ１２，ＴＣ１３の場合はバッテリー装置２００の２次コイル２１０と磁気的にカップリングされている。従って、バッテリー装置の２次コイル２１０には誘導起電力が生成され、この誘導起電力によりバッテリー装置の制御回路２５５が駆動される。一方、２次コイル２１０の出力端に生成される誘導起電力も図５のように交流パルスになり、充電状態検出回路２５３はこの交流パルスの下降時点を検出して制御回路２５５に報告する。これによって、制御回路２５５はフィードバック応答信号（ＦＲ１  ，ＦＲ２  ，ＦＲ３  など）を無線送信モジュール２２０，２５６を通じて充電装置１００の無線受信モジュール１５７，１５８に伝送する。図５には送信コイルＴＣ７  ，ＴＣ８  ，ＴＣ１３の待機時間（ｔ１  ）の間充電装置のアンテナコイル１５８にそれぞれＦＲ１  ，ＦＲ２  及びＦＲ３  のフィードバック応答信号が受信された状態を示している。
【００７２】
送信コイルＴＣ１４の場合、物理的にはバッテリー装置とカップリングされているが、バッテリー装置の２次コイル２１０とは磁気的にカップリングされていない。従って、待機モード状態で送信コイルＴＣ１４が駆動されてもアンテナコイルにはフィードバック応答信号が受信されない。また、送信コイルＴＣ１２の場合、２次コイル２１０と磁気的に一部カップリングされているが、位置ずれによって２次コイルに誘起される電圧は非常に低いしかない。従って、たとえ誘導起電力は生成されるが、バッテリー装置の制御回路２５５が駆動できないのでアンテナコイルには相変らずフィードバック応答信号が受信されない。
【００７３】
このように、制御回路２５５は送信コイルＴＣ１  ないしＴＣ１４を順次駆動しながら、バッテリー装置２００からのフィードバック応答信号を待機する。このとき、特定の送信コイルの駆動時にフィードバック応答信号が受信されれば、該当する送信コイルの番号（＃）を内部メモリに臨時記憶する。
【００７４】
一方、上記段階Ｓ３５において、ｎの値が１５に到達すれば、Ｓ４５に進んでフィードバック応答信号を待機する。このとき、フィードバック応答信号が存在すれば、上記Ｓ３０と同じく該当する送信コイルの番号である＃１５を内部メモリに臨時記憶し（Ｓ５０）、フィードバック応答信号が存在しなければ、待機モードを中断し充電モードに切り換える。
【００７５】
すなわち、上記制御回路１５５は上記内部メモリを照会して臨時記憶されている送信コイルの番号（＃７，＃８，＃１３）を判読し、この判読結果に基づいて電力分配回路１５３と充電モード調節回路１５６を制御することで送信コイル（ＴＣ７  ，ＴＣ８  ，ＴＣ１３）を充電モードに切り換え、残りの送信コイルは駆動を中断する（Ｓ５５，Ｓ６０）。
【００７６】
これによって、送信コイル（ＴＣ７  ，ＴＣ８  ，ＴＣ１３）には幅ｗ２  の駆動パルスが印加され、この送信コイルと磁気的にカップリングされる２次コイル２１０には対応する充電電力パルスが誘起される。このように誘起された充電電力は整流器２５１を経て直流に変換された後、定電圧／定電流回路２５２を経てバッテリー２６２に充電される。このとき、充電状態検出回路２５３はバッテリー２６２に印加される充電電流と充電電圧を検出して制御回路２５５に伝達する。制御回路２５５は上記充電電力パルスの下降時点に図５のような充電状態信号（ＣＳ１  ，ＣＳ２  など）を充電装置１００にフィードバックする。
【００７７】
バッテリー装置２００から充電状態信号（ＣＳ１  ，ＣＳ２  など）をフィードバック受けた充電装置の制御回路１５５はバッテリーの充電状態に合わせて送信コイル（ＴＣ７  ，ＴＣ８  ，ＴＣ１３）の駆動レベルを調節する。また、充電モードのうちにバッテリーが満充電状態に逹すれば、上記制御回路１５５は充電モード調節回路１５６を制御することで送信コイル（ＴＣ７  ，ＴＣ８  ，ＴＣ１３）の駆動モードを図５のように緩衝モードに切り換える。緩衝モードの駆動パルス（ｗ３  ）は充電モードの駆動パルス（ｗ２  ）に比べてそのパルス幅（ｗ３  ）が非常に小さく、待機モードの駆動パルス（ｗ１  ）に近似した幅を持つ。
【００７８】
上述したように、本発明の無接点充電システムは、送信コイルアレイを構成する全ての送信コイルを駆動するのではなく、バッテリー装置の受信コイルと磁気的にカップリングされる送信コイルのみを駆動するので、従来のシステムに比べてエネルギー消費量を著しく低減させることができる。また、バッテリー装置の受信コイルと磁気的にカップリングされる送信コイルを検出するために、充電モードに比べて相対的に低い消費電力を持つ予備的な待機モードを運営する。また、送信コイルアレイ内に多数の送信コイルが含まれているので、多数のバッテリー装置を同時に充電させることもできる。
【００７９】
上述した本発明の実施例においては、電力分配回路１５３を整流器１５２とコイル駆動回路１５４との間に配置しているが、電力分配回路を単一のコイル駆動回路と多数の送信コイルとの間に配置することもできる。
【００８０】
また、本発明の実施例の場合、送信コイルの駆動レベルを調節するためにパルス幅変調を使っているが、周波数変調のような他の方法も採択可能である。
【００８１】
上記図４に示した実施例の場合は単一のアンテナコイル１２０がコイルアレイ１１０を全体的に取り囲む構造を持つが、送信コイル（ＴＣ１  ，ＴＣ２   〜ＴＣｎ  ）それぞれに対してアンテナコイルをそれぞれ別途で配置することも可能である。
【００８２】
このように、送信コイルとアンテナコイルが一組を成しながらコイルブロックを形成すれば、図５のように送信コイルを順次駆動させながら２次コイルとカップリングされた送信コイルをいちいち探す必要がなくなる。すなわち、図７のように全ての送信コイルを同時に駆動し、２次コイルと磁気的にカップリングを成す送信コイルに対してのみフィードバック信号を受けることが可能になる。この場合、相違なるアンテナコイルに受信されるフィードバック信号を区分するために相違なる周波数を使うか、或いは相違なるコードを使うことができる。
【００８３】
本発明の他の実施例を図７及び図８を参照しながら簡略に説明する。
【００８４】
充電装置１００に外部電源１５１が印加されれば（Ｓ２００）、制御回路１５５は電力分配回路１５３と充電モード調節回路１５６とを制御して送信コイルアレイ１１０を構成する全ての送信コイル（ＴＣ１ 〜ＴＣ１５）を待機モードで同時駆動する（Ｓ２０２）。
送信コイル（ＴＣ１ 〜ＴＣ１５）から発生された磁場は外部に放射され、２次コイル２１０と磁気的にカップリングされる送信コイル（例えば、ＴＣ２  ，ＴＣ８  ）から発生された磁場によって２次コイル２１０の出力端に誘起起電力が生成される。このとき、２次側バッテリー装置２００が送信コイル（ＴＣ１ 〜ＴＣ１５）を互いに区分できるように送信コイル（ＴＣ１ 〜ＴＣ１５）から放射される信号は、相違なる周波数を持つか、或いは相違なるコードを持つべきである。
【００８５】
２次側のバッテリー装置２００は、２次コイル２１０の出力端に誘起された待機モード電力パルスを分析して誘導起電力を発生させた送信コイルの番号（＃）を決め、この番号に対する情報をフィードバック応答信号として１次側充電装置１００に伝達する。
【００８６】
このとき、１次側充電装置の制御回路１５５は送信コイル（ＴＣ１  〜ＴＣ１５）を待機モードで発振させた後、フィードバック応答信号を待機しながら予め定められた時間（例えば、５０ｍｓｅｃ）を超えたか否かを判断する（Ｓ２０４，Ｓ２０６）。
【００８７】
このとき、予め定められた時間内に２次側のバッテリー装置２００からフィードバック応答信号が受信されれば、この応答信号を分析して２次コイル２１０と磁気的にカップリング（または位置整合）を成す送信コイル（例えば、ＴＣ２  ，ＴＣ８  ）を選択する（Ｓ２０８）。
【００８８】
制御回路１５５は、電力分配回路１５３と充電モード調節回路１５６とを制御することで上記で選択された送信コイル（例えば、ＴＣ２  ，ＴＣ８  ）の駆動モードを待機モードから充電モードに切り換える（Ｓ２１０）。
【００８９】
上述のように、送信コイルアレイを構成する全ての送信コイルを同時に駆動すれば、待機モードで運営する時間が短くなって無駄な電力消費を低減することができる。
【００９０】
以上のように、本発明は、たとえ限定された実施例と図面とによって説明されたが、本発明はこれによって限定されず、本発明が属する技術分野において通常の知識を持つ者により本発明の技術思想と特許請求範囲の均等範囲内で多様な修正及び変形が可能なのは言うまでもない。
【産業上の利用可能性】
【００９１】
上述したように、本発明は、充電パッド上に多数の送信コイルをマトリックス状に配置しているので、２次コイルとの位置ずれを事前に予防し、多数の携帯型電子機器を同時に無接点充電することができる。
【００９２】
また、携帯型電子機器側の２次コイルと位置整合を形成している１次コイルのみを選別して駆動可能であるので、エネルギーの無駄使いを画期的に減らすことができる。
【図面の簡単な説明】
【００９３】
【図１】図１は、一般的な無接点充電システムの概略斜視図である。
【図２】図２（ａ）及び図２（ｂ）は、本発明の望ましい実施例による無接点充電装置の使用状態図である。
【図３】図３は、本発明の望ましい実施例による無接点充電装置の他の使用状態図である。
【図４】図４は、本発明の望ましい実施例による無接点充電システムの内部機能ブロック図である。
【図５】図５は、本発明の一実施例による送信コイルの順次駆動とフィードバック応答信号の相互関係を説明するためのタイミングチャートである。
【図６】図６は、本発明の一実施例による無接点充電方法の手順を説明するためのフローチャートである。
【図７】図７は、本発明の他の一実施例による送信コイルの同時駆動とフィードバック応答信号の相互関係を説明するためのタイミングチャートである。
【図８】図８は、本発明の他の一実施例による無接点充電方法の手順を説明するためのフローチャートである。
【図１】
2009525715.tif 000002
【図２】
2009525715.tif 000003
【図３】
2009525715.tif 000004
【図４】
2009525715.tif 000005
【図５】
2009525715.tif 000006
【図６】
2009525715.tif 000007
【図７】
2009525715.tif 000008
【図８】
2009525715.tif 000009
【国際調査報告】
2009525715.tif 000010
2009525715.tif 000011